(57)【要約】【課題】前回の充電によって再充電が不要な場合には、直ちに撮影を行うことができるストロボ内蔵カメラを提供する。【解決手段】ストロボ充電電圧検出回路を持たず、一定時間のストロボ充電によってストロボ８を発光可能な状態にするストロボ内蔵カメラにおいて、ストロボ８の再充電を行う場合に、充電完了時の時刻と現在の時刻とから経過時間を算出し、この経過時間が設定してある再充電必要時間未満の場合は充電を中止する制御を行う制御手段１を備えた。【選択図】        図１
2004258381.tif 000002
【特許請求の範囲】
【請求項１】
ストロボ充電電圧検出回路を持たず、一定時間のストロボ充電によってストロボを発光可能な状態にするストロボ内蔵カメラにおいて、ストロボの再充電を行う場合に、充電完了時の時刻と現在の時刻とから経過時間を算出し、この経過時間が設定してある再充電必要時間未満の場合は充電を中止する制御を行う制御手段を備えたことを特徴とするストロボ内蔵カメラ。
【請求項２】
制御手段は、再充電を中止した場合、規定時間経過後か充電開始条件を満足した場合に再充電を開始することを特徴とする請求項１記載のストロボ内蔵カメラ。
【請求項３】
制御手段は、ストロボの充電時間を電源電圧によって変化させることを特徴とする請求項１記載のストロボ内蔵カメラ。
【請求項４】
制御手段は、ストロボの再充電必要時間を温度によって変化させることを特徴とする請求項１記載のストロボ内蔵カメラ。
【請求項５】
制御手段は、ストロボの再充電必要時間を経過時間によって変化させることを特徴とする請求項１記載のストロボ内蔵カメラ。
【請求項６】
制御手段は、再充電必要時間を節電タイマー時間を経過しても発光可能な充電電圧を維持できる時間に設定することを特徴とする請求項１記載のストロボ内蔵カメラ。
【発明の詳細な説明】
【０００１】
【発明の属する技術分野】
本発明は、ストロボ充電電圧検出回路を持たず、一定時間のストロボ充電によってストロボを発光可能な状態にするストロボ内蔵カメラに関し、特にストロボの充電時間（充電開始時刻から終了時刻まで）と、再充電必要時間（充電終了時刻から、充電電圧が所定値を下回ることによって次の充電を開始しなければならない時刻まで）の制御技術に関する。
【０００２】
【従来の技術】
ストロボの２次側の電圧を検出する機構を採用すると、部品の追加となるため、コストと実装面積のアップにつながる。この対策として、ローコスト機では、一定時間充電することによって、ストロボの充電を行うカメラが商品化されている。
【０００３】
この種のカメラでは、電源ＯＮと節電タイマーＯＦＦからの再電源ＯＮとストロボ撮影後に、一定時間のストロボ充電が行われていた、充電は発光可能電圧までの充電とフル発光電圧までの充電に分けられ、フル充電までの時間は過充電防止の意味も持っている、ここで発光可能電圧までの充電中はストロボ撮影が禁止される。電源ＯＦＦになると、デート機能以外は節電のため停止してしまう、次回復帰した時にストロボの充電状態が解らない（充電電圧の監視回路が無い）ため再充電を行う。
【０００４】
【発明が解決しようとする課題】
一定時間でストロボに充電を行う方法では、再充電が行われる条件（電源ＯＮ、ストロボ撮影完了、節電タイマー作動後の再スタート等）で待ち時間が必ず発生する。またストロボ撮影が必要な場合で、前回の充電によって再充電が不要な場合にも撮影を待つ必要があるため、シャッターチャンスを逃してしまったり、使用を待つ必要から時間のロスが発生する。
【０００５】
本発明は、前回の充電によって再充電が不要な場合には、直ちに撮影を行うことができるストロボ内蔵カメラを提供することを目的とする。
【０００６】
【課題を解決するための手段】
上記目的を達成するために、請求項１記載の発明では、ストロボ充電電圧検出回路を持たず、一定時間のストロボ充電によってストロボを発光可能な状態にするストロボ内蔵カメラにおいて、ストロボの再充電を行う場合に、充電完了時の時刻と現在の時刻とから経過時間を算出し、この経過時間が設定してある再充電必要時間未満の場合は充電を中止する制御を行う制御手段を備えたストロボ内蔵カメラを最も主要な特徴とする。
【０００７】
請求項２記載の発明では、制御手段は、再充電を中止した場合、規定時間経過後か充電開始条件を満足した場合に再充電を開始する請求項１記載のストロボ内蔵カメラを主要な特徴とする。
【０００８】
請求項３記載の発明では、制御手段は、ストロボの充電時間を電源電圧によって変化させる請求項１記載のストロボ内蔵カメラを主要な特徴とする。
【０００９】
請求項４記載の発明では、制御手段は、ストロボの再充電必要時間を温度によって変化させる請求項１記載のストロボ内蔵カメラを主要な特徴とする。
【００１０】
請求項５記載の発明では、制御手段は、ストロボの再充電必要時間を経過時間によって変化させる請求項１記載のストロボ内蔵カメラを主要な特徴とする。
【００１１】
請求項６記載の発明では、制御手段は、再充電必要時間を節電タイマー時間を経過しても発光可能な充電電圧を維持できる時間に設定する請求項１記載のストロボ内蔵カメラを主要な特徴とする。
【００１２】
【発明の実施の形態】
以下、本発明の実施の形態を図面に従って説明する。
図１は本発明のストロボ内蔵カメラの機能ブロック図、図２は本発明のストロボ内蔵カメラのＣＰＵにおける処理の説明図、図３は本発明のストロボ内蔵カメラのストロボのブロック図、図４は本発明のストロボ内蔵カメラの制御フロー図、図５は図３に示すメインコンデンサの充放電特性図である。
【００１３】
図１に示すように、本ストロボ内蔵カメラは、ＣＰＵ１を中心に、操作部材２、入力部材３、制御クロック４、デート用クロック５、表示器６、シャッター７、ストロボ８を備えている。
【００１４】
図３に示すストロボ８は、充電回路１１、整流回路１２、メインコンデンサ１３、トリガー回路・発光回路１４を備えている。メインコンデンサ１３の充電電圧検出回路がなくなっているため、放電が少なく、自己放電のみとなり充電電圧は長時間維持される。
【００１５】
本発明では図２に示すように、ストロボ８の充電完了時のデート時刻と、再充電を要求する現在の時刻から、充電完了後の経過時間を求め、ストロボ８のメインコンデンサ１３のリーク放電特性から求めた再充電必要時間以内（ストロボ８が発光可能な充電電圧が残る）であるかの判断を行い、再充電必要時間以内であれば、ストロボ８の再充電を中止し、直ぐにストロボ撮影を行うことができる。
【００１６】
図４は充電を行う必要があるかのフローの例（Ｓ１〜Ｓ９）で、電源ＯＮまたはタイマーＯＦＦからのスタート後、初期設定、表示、操作と入力信号の確認、タイマー開始、ストロボ８の充電を行うが、ストロボ８の充電は、前回の充電完了時刻と現在の時刻との差から再充電必要時間以上であるかの判断を行い、充電を開始する。充電を行う場合には、充電完了時の時刻を記憶して次回の判定に使用する。また、カメラ操作により、ストロボ撮影が行われた場合には、ストロボ８の再充電が必要になるため、充電完了時刻をリセットして、確実に充電が行われるようにしておく。
【００１７】
図５に示すメインコンデンサ１３の充放電特性では、放電カーブは傾きが長くなり、長時間発光可能な充電電圧が維持されている。デート無し機の場合でも、デート用の発信機のみ追加すれば、本発明を実現することができる。
【００１８】
また電池の電圧検出はＣＰＵ１のＡ／Ｄコンバータで実現でき、温度検出は、汎用の温度センサで実現できる。また図４のＳ６においてＡ−Ｂ＜Ｃで再充電の判断を行っているが、Ａ−Ｂ＝Ｄとして、Ｄの時間をアナログ的に判断することによって、再充電の時間をアナログ的に変化させれば、待ち時間の短縮が可能になる。また再充電必要時間を発光可能下限電圧まで放電する時間−節電タイマー以下に設定すれば、動作中はストロボ撮影が可能になる。
【００１９】
【発明の効果】
請求項１記載の発明によれば、前回の充電によって再充電が不要な場合には、直ちに撮影を行うことができる。
【００２０】
請求項２記載の発明によれば、経過時間の監視を行って再充電を開始し危険を回避することができる。
【００２１】
請求項３記載の発明によれば、電源電圧によって充電電圧が変わるため、電源電圧が低い場合に充電時間を長くして、充電電圧を一定になるように調整し、再充電必要時間を安定させることができる。
【００２２】
請求項４記載の発明によれば、温度によって再充電必要時間を変化させ、発光可能充電電圧を維持することができる。
【００２３】
請求項５記載の発明によれば、再充電開始までの時間によって放電電圧が変化するため、再充電時の経過時間によって再充電必要時間を変化させ、発光可能になるまでの時間（撮影タイミング）をできるだけ短くすることができる。
【００２４】
請求項６記載の発明によれば、再充電必要時間は節電タイマー時間を経過しても発光可能な充電電圧を維持できる時間に設定し、１回のタイマー動作中のストロボ撮影を保証することができる。
【図面の簡単な説明】
【図１】本発明のストロボ内蔵カメラの機能ブロック図である。
【図２】本発明のストロボ内蔵カメラのＣＰＵにおける処理の説明図である。
【図３】本発明のストロボ内蔵カメラのストロボのブロック図である。
【図４】本発明のストロボ内蔵カメラの制御フロー図である。
【図５】図３に示すメインコンデンサの充放電特性図である。
【符号の説明】
１  ＣＰＵ（制御手段）
８  ストロボ
【図１】
2004258381.tif 000003
【図２】
2004258381.tif 000004
【図３】
2004258381.tif 000005
【図４】
2004258381.tif 000006
【図５】
2004258381.tif 000007